(57)【特許請求の範囲】
【請求項１】
内部に複数のスイッチを備え、上面に各スイッチに対向する各詳細操作キーを配列してなる詳細設定操作部を備えたリモコン本体と、このリモコン本体の詳細操作キーに対応し詳細操作キーを介してスイッチをオンオフする複数の簡易操作キーを備えると共に適所に磁石を備えた上記詳細設定操作部開閉用のカバー体と、リモコン本体の内部に配備され詳細設定操作部がカバー体で覆われたか否かを非接触で検出するホールＩＣとから成り、このホールＩＣの検出信号により詳細設定と簡易設定とのモードの切り換えを実行する自動販売機用リモコンキーボードにおいて、
リモコン本体の詳細設定操作部が露出し、詳細設定モードとなっている状態において、カバー体の一部がホールＩＣの位置する詳細設定操作部の一部に重合し、ホールＩＣを外部磁界から保護するように設定したことを特徴とする自動販売機用リモコンキーボード。
【発明の詳細な説明】
【０００１】
【発明の属する技術分野】
この発明は、自動販売機用リモコンキーボードに関する。
【０００２】
【従来の技術】
図６は、本願出願人が先に提案したリモコンキーボードを示す説明図である。このリモコンキーボードは、内部に複数のスイッチを備え、上部に各スイッチに対向する詳細操作キー（押し可動部）７１を配置してなる詳細設定操作部７２を有するリモコン本体７３と、各詳細操作キー７１に対応した複数の簡易操作キー７４を備えたカバー体７５とから成る。
【０００３】
カバー体７５は、詳細設定操作部（詳細操作キー７１）７２を被覆・開放し得るように回動可能にヒンジ７６で取付られている。このカバー体７４には、一定長さを有するモード切換え用突子７７が内面に突設され、リモコン本体７３には外部に連通する穴部７８を開設し、この穴部７８の内部にモード切換えスイッチ７９を内装配備している。
【０００４】
カバー体７５で詳細設定操作部７２が被覆されたとき、突子７７が穴部７８に嵌入してモード切り換えスイッチ７９を押し、詳細設定モードが簡易設定モードに切り替わる。
【０００５】
自動販売機の諸設備に対し、外部から例えば各種の確認・詳細設定を実行するときは、リモコン本体７３の詳細設定操作部７２を露出させた状態で実行する。つまり、カバー体７５を開放させる。
任意に各詳細操作キー７１を押すことで、下方に対向位置するスイッチ（プッシュスイッチ）が押されオンすることで、詳細設定が実行できる。
【０００６】
一方、自動販売機の諸設備に対し、外部から例えば各種の確認・簡易設定を実行するときは、カバー体７５を閉じ、詳細設定操作部７２を被覆する。この状態において、モードは簡易設定モードに切り替わっている。同時に、この状態において、各簡易操作キー７４と、各詳細操作キー７１と、各スイッチ（プッシュスイッチ）とは、それぞれ一定間隔を開いて上下方向へ対向位置している。
【０００７】
ここで、任意の各簡易操作キー７４を押すことで、下方の詳細操作キー７１を介してスイッチ（簡易設定モードに切り替えられたスイッチ）がオンし、簡易設定が実行される。
【０００８】
【発明が解決しようとする課題】
図６の自動販売機用リモコンキーボードは、カバー体の開閉により、簡易設定と詳細設定のモードを自動的に切り換えでき、各種確認設定操作を簡便化し得ると共に、キー入力による誤操作を防止し得る利点を有する。
【０００９】
ところが、この構成のリモコンキーボードでは、カバー体の突子が挿脱する穴部をリモコン本体に開設している。そして、リモコン本体内部と外部は、この穴部を介して連通している。
このため、自動販売機の種々の確認・設定を戸外で行う際は、リモコン本体の穴部を介して雨水、粉塵などがリモコン内部の電気・電子回路に浸入する虞れがある。この場合、誤動作が生じる許かりでなく、最悪の場合には回路破壊に至る虞れがある。
【００１０】
また、簡易・詳細モードの切り換えは、リモコン本体内のプッシュスイッチ（検出スイッチ）に対し突子を直接押し込むことで、オンオフさせる構造である。このため、例えばカバー体を強く閉成した場合などには、突子がスイッチに直接大きな衝撃を加えることとなり、モード切り換え用スイッチを損傷させる虞がある。従って、操作者はカバー体の開閉に細心の注意を払う必要がある許かりでなく、モード切り換えスイッチが故障した場合は、操作不能となり販売チャンスを逃す結果となる等の不利があった。
【００１１】
この発明は、以上のような課題を解消させ、カバー体が詳細設定操作部を覆っているか否かを非接触で検知センサが検知して簡易と詳細のモードを自動的に切り換えることで、リモコン本体内への雨水や塵埃浸入の虞れを解消した自動販売機用リモコンキーボードを提供する。
【００１２】
【課題を解決するための手段】
この目的を達成させるために、この発明の自動販売機用リモコンキーボードでは、次のような構成としている。
自動販売機用リモコンキーボードは、内部に複数のスイッチを備え、上面に各スイッチに対向する各詳細操作キーを配列してなる詳細設定操作部を備えたリモコン本体と、このリモコン本体の詳細操作キーに対応し詳細操作キーを介してスイッチをオンオフする複数の簡易操作キーを備える上記詳細設定操作部開閉用のカバー体とから成る自動販売機用リモコンキーボードであって、リモコン本体の内部には、詳細設定操作部がカバー体で覆われたか否かを非接触で検出する検出センサが配備され、この検出センサの検出信号により詳細設定と簡易設定とのモードの切り換えを実行することを特徴としている。
【００１３】
このような構成を有する自動販売機用リモコンキーボードでは、カバー体が詳細設定部を被覆しているか否かを非接触で検出する。非接触の検出として、例えば磁気センサ（例・ホールＩＣ）が使用される。
例えば、リモコンキーボードを使用して自動販売機を外部から各種詳細設定する場合は、カバー体を開放して（リモコン本体に対し後方へスライド移動させて開放し）、詳細設定操作部を露出させる。
【００１４】
この状態において、リモコン本体に内蔵される検出センサ（ホールＩＣ）に対し、カバー体の磁石が大きく位置ずれし、磁界を作用させ得なくなる。従って、ホールＩＣの非検出信号により詳細設定モードに切り換えられる。ここで、操作者が各詳細操作キーを押すことで、下方に対向するスイッチがオンとなり各種詳細設定を実行し得る。
【００１５】
一方、自動販売機の諸設備の各種簡易設定を、外部からリモコンキーボードで実行するときは、リモコン本体に対しカバー体をスライド閉成する。カバー体が、詳細設定操作部を完全に被覆した状態のとき、カバー体の磁石がホールＩＣの真上に位置する。磁石の磁界がホールＩＣに作用し、検出信号の出力で簡易設定モードに切り換えられる。
【００１６】
ここで、カバー体表面の簡易設定操作部を構成する任意の各簡易操作キー（押し可動部）を押す。簡易操作キーを押すことで、下方に位置する詳細操作キーを介して詳細操作キーに対向するスイッチ（簡易設定モードに切替っているスイッチ）が押されオンする（簡易設定スイッチが入る）。
【００１７】
【発明の実施の形態】
以下、図面に基づき本発明に係る自動販売機用リモコンキーボードの具体的な実施の形態を説明する。
【００１８】
自動販売機用リモコンキーボードは、詳細設定操作部１４を備えたリモコン本体１と、リモコン本体１に対しスライド移動可能に外嵌されたカバー体２と、リモコン本体１の詳細設定操作部１４がカバー体２で被覆されているか否かを非接触で検知する検知センサ３と、カバー体２に取付られた磁石４とから成る。
【００１９】
リモコン本体（ケース体）１は、図２及び図３で示すように、上面（ケース体の表面パネル板）１１には、在庫数や商品温度などが確認表示される液晶表示部１２と、商品の冷温切換えスイッチ１３と、詳細設定操作部１４が設けてある。
【００２０】
詳細設定操作部１４は、図３及び図４で示すように、複数の各詳細操作キー（押し可動部）１４ａを適宜配列して構成されている。図５で示すように、リモコン本体１の上板（表面パネル板）１１には複数の窓孔１５が形成され、この各窓孔１５内に各詳細操作キー１４ａが配備されている。各詳細操作キー１４ａは、一部のアーム部１４ｂが表面パネル板１１に連続し、押し操作でキー１４ａの軸が傾斜状に降下するように設定してある。
【００２１】
上記窓孔１５、詳細操作キー１４ａを含む表面パネル板１１の表面には、詳細操作キー銘板シート（防塵防水保護シート）１６が貼着してある。詳細操作キー１４ａは、この保護シート１６に貼着されているが、アーム部２２ａは表面パネル板１１より一段低く設定してあるため、保護シート１６に接面していない。これにより、詳細操作キー（押し可動部）１４ａのスムーズな昇降バネ動作を確保している。
【００２２】
また、リモコン本体（本体ケース）１内部には、各種電子部品を実装したプリント配線基板１７が配備され、この配線基板１７に上記各詳細操作キー１４ａに対応する各プッシュスイッチ１８が配備してある。
【００２３】
前記検知センサ３は、リモコン本体１の内部に内装配備される。実施の形態では、検知センサ３は磁気センサを用いている。磁気センサとして具体的には、磁電変換作用（電流磁気効果）を応用し、カバー体２の磁石４の磁気の強さに比例した電圧を発生するスイッチング出力タイプのホールＩＣを使用している。
【００２４】
ホールＩＣ３は、図１又は図５で示すように、高さ調整用スペーサ３１を介してプリント配線基板１７に実装されている。このホールＩＣ３は、図４で示すように、リモコン本体１の内部であって、一端部（液晶表示部１２と反対側端部）の隅部に配備されている。
【００２５】
前記カバー体２は、詳細設定操作部１４を覆う大きさの矩形平板で、前辺を除く３辺に囲い枠状のフランジ部２１が周設してある。このカバー体２は、詳細設定操作部１４の外周段部１Ａに係合して前後方向へスライド移動可能に外嵌させてある（図３参照）。
【００２６】
図３及び図４で示すように、このカバー体２の面内には、上記各詳細操作キー１４ａに対応する位置に各簡易操作キー（押し可動部）２２が設けられている。つまり、カバー体２に窓孔２３が開設され、この各窓孔２３内に各簡易操作キー２２が配備され、簡易操作キー２２はアーム部２２ａを介してカバー体２に連続している（図１参照）。
【００２７】
また、図１で示すように、上記各窓孔２３、各簡易操作キー２２を含むカバー体２の表面には、簡易操作キー銘板（防塵防水保護シート）２４が貼着されている。そして、簡易操作キー２２は、押し動作で軸部が傾斜状に降下し、下端部２２ｂが下方の詳細操作キー１４ａを押し下げるようになっている。
【００２８】
上記カバー体２には、図１で示すように、カバー体２で詳細設定操作部１４を完全に被覆した状態において、ホールＩＣ３の真上に位置する部分、つまりカバー体２の最も後ろ側端部に磁石４を内蔵している。
【００２９】
更に、図４及び図５で示すように、カバー体２の最前側端部には下方向へ突出する２枚の板状係合片５が突設され、一方、リモコン本体１の上面１１であって、後側端部（ホールＩＣ３より前側端部）に上方へ一定長さ突出するストッパ５Ａが突設してある。リモコン本体１上をカバー体２がスライド後退（表示部１２と反対側へ移動）したとき、板状係合片５がストッパ５Ａに当接し、それ以上の後退を阻止される。従って、カバー体２がリモコン本体１より脱落することがない。
【００３０】
このような構成を有する自動販売機用リモコンキーボードでは、図２で示すように、カバー体２がリモコン本体の詳細設定操作部１４を被覆した状態においては、カバー体２の簡易操作キー（押し可動部）２２と、リモコン本体１の詳細操作キー（押し可動部）１４ａと、スイッチ（プッシュスイッチ）１８とが、それぞれ一定間隔を開いて上下方向へ対向配置されるように設定してある（図１参照）。
【００３１】
更に、この待機状態（カバー体２が詳細設定操作部１４を被覆した状態）においては、図１で示すように、カバー体２の磁石４がリモコン本体１のホールＩＣの真上に位置し（最も接近し）ており、磁石４の磁界を受けてホールＩＣ３が非接触でカバー体２による詳細設定操作部１４の被覆状態を検出することで、簡易設定モードに切り替わっている。
【００３２】
自動販売機の各諸設備に対し、外部から簡易設定操作を実行するときは、図２の状態で操作する。設定の必要に応じて、カバー体２表面の簡易操作キー２２を適宜押し操作する。押し操作することで、図１に示すように、押し可動部２２がアーム部２２ａを起点に全体が下り傾斜状に降下する。そして、押し可動部２２の下端部２２ｂが、下方に位置する詳細操作キー（押し可動部）１４ａを押し下げる。押し可動部１４ａも同様に、アーム部１４ｂを起点に全体が下り傾斜状に降下する。
【００３３】
この押し可動部１４ａの下端部１４ｃが、プッシュスイッチ１８をオンさせることで、カバー体２の簡易操作キー銘板（防塵防水保護シート）２４に記載されたとおりの簡易操作キー２２のスイッチがオンされる。
【００３４】
一方、自動販売機に対し外部から詳細設定操作を実行するときは、リモコン本体１に対しカバー体２をスライド移動（後退）させる。そして、図３或いは図５で示すように、リモコン本体２の詳細設定操作部１４を露出させる。図５で示すように、カバー体２を最も後退させ、詳細設定操作部１４を露出させた状態において、カバー体２の板状係合片５、５がストッパ５Ａ、５Ａに当接し、それ以上の後退を阻止する。これにより、カバー体２の脱落が防止される。
【００３５】
更に、この状態において、カバー体２の磁石４はホールＩＣ３より最も遠い位置に移動する。つまり、磁石４の磁界がホールＩＣ３に作用しない状態となる。これにより、ホールＩＣ３が磁石（カバー体２の存在）４の存在を検出せず、スイッチオフとなり詳細設定モードに切り換えられる。
【００３６】
また、この状態において、ホールＩＣ３より前側に位置するストッパ５Ａとの当接で停止するカバー体２の前側（板状係合片５側）は、ホールＩＣ３の上部に重合状に位置している（図５参照）。従って、仮に操作者などが装着する磁気ネックレス、磁気ブレスレットなどの外部磁界は、カバー体２の重合により充分な距離が保たれるため影響をうけることがない。
【００３７】
操作者は、必要に応じて、適宜、各詳細操作キー１４ａを押すことで、対応するプッシュスイッチ１８が押し下げられオンする。つまり、詳細操作キー銘板（防塵防水シート）１６に記載されたとおりのスイッチがオンし詳細設定が実行される。
【００３８】
【発明の効果】
この発明では、以上のように、リモコン本体に対しカバー体をスライド移動させるだけで、非接触で検知センサがカバー体による詳細設定操作部の被覆の有無を検知し、簡易設定と詳細設定のモードを自動的に切り替えさせることとしたから、従来のようなリモコン本体内部と外部とを連通する孔部は存在しない。従って、戸外での確認設定作業が簡便となる許りでなく、雨水がリモコン本体内に浸入することによる諸々の不利が完全に解消される。
更に、カバー体を後退させ詳細設定操作部が露出した状態において、ホールＩＣはカバー体の一部で重合状に被覆されている。従って、外部磁界の影響を受けることがなく誤動作を防止し得る。
また、カバー体の簡易操作キーでリモコン本体の詳細操作キーを押し下げ得ることとしたから、全体としてのスイッチの数を極めて少なくし得る許かりでなく、自動販売機の諸設備に対する各種確認及び設定操作が簡便となり、キー入力による誤操作を解消できる等、発明目的を達成した優れた効果を有する。
【図面の簡単な説明】
【図１】リモコンキーボードを示す要部拡大断面図である。
【図２】リモコンキーボードを示す斜視図である。
【図３】カバー体をスライド後退させた状態を示す説明斜視図である。
【図４】カバー体をリモコン本体から取り外した状態を示す分解斜視図である。
【図５】カバー体をスライド後退させた状態を示す要部拡大断面図である。
【図６】出願人が先に提案したリモコンキーボードを示す斜視図である。
【符号の説明】
１      リモコン本体
２      カバー体
３      検知センサ（ホールＩＣ）
４      磁石
５      板状係合片
５Ａ    ストッパ
１４    詳細設定操作部
１４Ａ  詳細操作キー
２２    簡易操作キー
【図１】
0004388666.tif 000002
【図２】
0004388666.tif 000003
【図３】
0004388666.tif 000004
【図４】
0004388666.tif 000005
【図５】
0004388666.tif 000006
【図６】
0004388666.tif 000007